(57)【要約】【課題】側面発光型の発光装置であって、発光効率の高い発光装置及びその製造方法を提供する。【解決手段】発光素子と、前記発光素子の上面に配置され、下面に、前記発光素子と対向する第１領域と、前記第１領域の外側の第２領域を有する透光部材と、前記発光素子の側面と、前記透光部材の第２領域とを被覆する導光部材と、前記発光素子と前記透光部材の上面と前記導光部材とを被覆し、前記透光部材の側面を露出させる反射部材と、を備える発光装置。【選択図】図２
2019041009.tif 000002
【特許請求の範囲】
【請求項１】
発光素子と、
前記発光素子の上面に配置され、下面に、前記発光素子と対向する第１領域と、前記第１領域の外側の第２領域を有する透光部材と、
前記発光素子の側面と、前記透光部材の第２領域とを被覆する導光部材と、
前記発光素子と前記透光部材の上面と前記導光部材とを被覆し、前記透光部材の側面を露出させる反射部材と、
を備える発光装置。
【請求項２】
前記導光部材は、前記発光素子の側面から前記透光部材の外縁に向かって広がる傾斜面を有する、請求項1に記載の発光装置。
【請求項３】
前記発光素子は下面に一対の電極を有する、請求項１から２の何れか一項に記載の発光装置。
【請求項４】
前記透光部材は、上面視において前記発光素子よりも大きい、請求項1から３の何れか一項に記載の発光装置。
【請求項５】
前記導光部材は、前記発光素子の側面の５０％以上を被覆し、かつ前記第２領域の５０％以上を被覆する、請求項１から４の何れか一項に記載の発光装置。
【請求項６】
前記発光素子は、上面視において短手方向と長手方向があり、
短手方向の長さに対する長手方向の長さの比が３〜１０である、請求項1から５の何れか一項に記載の発光装置。
【請求項７】
前記透光部材は、波長変換部材を含む、請求項１から６の何れか一項に記載の発光装置。
【請求項８】
前記発光素子は基板上に配置されている、請求項１から７の何れか一項に記載の発光装置。
【請求項９】
複数の発光素子を離間させて配置する工程と、
前記複数の発光素子のうち、隣接する２つの発光素子上に渡って透光部材を設ける工程と、
前記２つの発光素子の側面と前記透光部材の下面とを被覆する導光部材を設ける工程と、
前記２つの発光素子と前記透光部材の上面と前記導光部材とを被覆する反射部材を設ける工程と、
前記隣接する２つの発光素子の間の位置で、前記透光部材及び前記反射部材を切断する工程と、
を含む、発光装置の製造方法。
【請求項１０】
前記透光部材を設ける工程の後に、前記透光部材の上面視における外縁の一部を除去する工程を含む、請求項９に記載の発光装置の製造方法。
【請求項１１】
上面と下面を有する透光部材の下面の一部と、前記透光部材の下面上に配置された２つの発光素子の側面とを被覆する導光部材を設ける工程と、
前記２つの発光素子と前記透光部材の上面と前記導光部材とを被覆する反射部材を設ける工程と、
前記２つの発光素子の間の位置で、前記透光部材及び前記反射部材を切断する工程と、
を含む、発光装置の製造方法。
【請求項１２】
前記発光素子は下面に電極を有し、前記電極が基板と対向するように配置する、請求項９から１１の何れか一項に記載の発光装置の製造方法。
【発明の詳細な説明】
【技術分野】
【０００１】
本開示は、発光装置及びその製造方法に関する。
【背景技術】
【０００２】
側面発光型の発光装置として、例えば、特許文献１には、素子基板と、素子基板上の結晶層と、結晶層に電気的に接続された外部電極と、を有するフリップチップ型の発光素子と、発光素子の素子基板側に形成された、外部電極に対して傾斜した傾斜面を有する光学部材と、光学部材の傾斜面上に形成された反射層と、を有する発光装置が開示されている。このような発光装置では、発光素子から発せられて光学部材に入射した光は、反射層で反射され、光学部材の光取り出し面から取り出される。
【先行技術文献】
【特許文献】
【０００３】
【特許文献１】特開２０１６−４８７１８号公報
【発明の概要】
【発明が解決しようとする課題】
【０００４】
特許文献１に開示された発光装置は、発光素子から光学部材への入光効率が悪いため、発光装置としての発光効率が悪い。そのため、出力を大きくするためには発光素子を大きくする必要があり、発光装置が大型化してしまう。
【０００５】
本発明の一実施形態は、側面発光型の発光装置であって、発光効率の高い発光装置を提供する事を目的とする。
【課題を解決するための手段】
【０００６】
そこで、本発明の一実施形態に係る発光装置は、発光素子と、発光素子の上面に配置され、下面に、発光素子と対向する第１領域と、第１領域の外側の第２領域を有する透光部材と、発光素子の側面と、透光部材の第２領域とを被覆する導光部材と、発光素子と透光部材の上面と導光部材とを被覆し、透光部材の側面を露出させる反射部材と、を備える。
【０００７】
また、本発明の一実施形態に係る発光装置の製造方法は、複数の発光素子を離間させて配置する工程と、複数の発光素子のうち、隣接する２つの発光素子上に渡って透光部材を設ける工程と、２つの発光素子の側面と透光部材の下面とを被覆する導光部材を設ける工程と、２つの発光素子と透光部材の上面と導光部材とを被覆する反射部材を設ける工程と、隣接する２つの発光素子の間の位置で、透光部材及び反射部材を切断する工程と、を含む。
【０００８】
また、本発明の他の実施形態に係る発光装置の製造方法は、上面と下面を有する透光部材の下面の一部と、透光部材の下面上に配置された２つの発光素子の側面とを被覆する導光部材を設ける工程と、２つの発光素子と透光部材の上面と導光部材とを被覆する反射部材を設ける工程と、２つの発光素子の間の位置で、透光部材及び反射部材を切断する工程と、を含む。
【発明の効果】
【０００９】
本発明の一実施の形態の発光装置及びその製造方法では、より発光効率の高い発光装置を提供することができる。
【図面の簡単な説明】
【００１０】
【図１】発光装置の一実施形態における正面図である。
【図２】図１に示す発光装置のＩＩ−ＩＩ線における断面図である。
【図３】発光装置の他の実施形態における断面図である。
【図４Ａ】発光装置の製造方法の一実施形態を示す、概略断面工程図である。
【図４Ｂ】発光装置の製造方法の一実施形態を示す、概略断面工程図である。
【図４Ｃ】発光装置の製造方法の一実施形態を示す、概略断面工程図である。
【図４Ｄ】発光装置の製造方法の一実施形態を示す、概略断面工程図である。
【図４Ｅ】発光装置の製造方法の一実施形態を示す、概略断面工程図である。
【図５Ａ】発光装置の製造方法の他の実施形態を示す、概略断面工程図である。
【図５Ｂ】発光装置の製造方法の他の実施形態を示す、概略断面工程図である。
【図５Ｃ】発光装置の製造方法の他の実施形態を示す、概略断面工程図である。
【図５Ｄ】発光装置の製造方法の他の実施形態を示す、概略断面工程図である。
【図５Ｅ】発光装置の製造方法の他の実施形態を示す、概略断面工程図である。
【発明を実施するための形態】
【００１１】
以下、発明の実施の形態について適宜図面を参照して説明する。ただし、以下に説明する発光装置は、本発明の技術思想を具体化するためのものであって、特定的な記載がない限り、本発明を以下のものに限定しない。また、一実施の形態において説明する内容は、他の実施の形態にも適用可能である。各図面が示す部材の大きさやアスペクト比や位置関係等は、説明を明確又は容易にするため、誇張又は省略していることがある。
【００１２】
図１〜図３には、互いに直交するＸ方向、Ｙ方向及びＺ方向を示す矢印をあわせて図示している。本明細書中では、Ｘ方向を長手方向、Ｙ方向を厚み方向、Ｚ方向を短手方向と適宜述べることがある。
発光装置の外形形状は直方体であり、６つの外面を備える。詳細には、上面と、上面の反対側であって実装面となる下面、上面と下面の間に４つの側面を備える。側面の１つは、露出された透光部材を含む面である。この露出された透光部材は、光取り出し面として機能する面であり、この面を含む側面を正面とも称する。また、正面と反対側の面を背面とも称する。
【００１３】
また、本明細書において、小型化とは発光装置又は各部材の大きさを小さくすることを指す。また、その中でも特に、薄型化とは、発光装置の厚み方向の長さを短くすることを指し、狭幅化とは、発光装置の短手方向の長さを短くすることを指す。
【００１４】
図１は、本発明の一実施形態による発光装置１００の正面図である。図２は、図１に示される発光装置１００のＩＩ−ＩＩ線における断面図である。
【００１５】
一実施形態による発光装置１００は、発光素子１０と、透光部材１２と、導光部材１１と、反射部材１３とを備える。
透光部材１２は、発光素子１０の上面１０ｕ及び導光部材１１の上面に配置される。また、透光部材１２の下面２０は、発光素子１０と対向する第１領域２２と、第１領域２２の外側の第２領域２４とからなる。
導光部材１１は、発光素子１０の側面２１及び透光部材１２の第２領域２４を被覆する。また、反射部材１３は、導光部材１１の外面２５、発光素子１０の下面１０ｂ及び側面２１の一部を被覆する。さらに、反射部材１３は、透光部材１２の光取り出し面１８を除く側面及び上面を被覆する。
【００１６】
発光素子１０の上面１０ｕからの光は、透光部材１２の第１領域２２から、透光部材１２内に入射される。発光素子１０の側面２１からの光は、導光部材１１内に入射され、その後、透光部材１２の第２領域２４から、透光部材１２内に入射される。このように、導光部材１１が発光素子１０の側面２１及び透光部材１２の第２領域２４を被覆することで、発光素子１０の側面２１からの光を透光部材１２に入射することができる。そのため、発光素子１０からの光のロスを低減し、効率よく透光部材１２に入射することができる。これにより、発光素子１０そのものを大きくすることなく、発光効率の高い発光装置とすることができる。
【００１７】
以下、一実施形態の発光装置１００の好ましい形態について詳述する。
【００１８】
図１、２に示すように、一実施形態の発光装置１００では、発光素子１０は、透光性基板１４、半導体積層体１５を有し、さらに半導体積層体１５の下面１０ｂに一対の電極１６を有する。
また、発光素子１０の上面１０ｕは、どのような形状でもよいが、矩形が好ましく、長方形であることがより好ましい。長方形の場合、上面１０ｕは、短手方向の長さに対する長手方向の長さ比が、約１．２〜約２０であることが好ましく、約３〜約１０であることがより好ましい。より詳細には、発光素子１０は、長手方向の長さは２００μｍ〜２０００μｍ、厚み方向の長さは１０μｍ〜３００μｍ、短手方向の長さは１００μｍ〜５００μｍが好ましい。より好ましくは、長手方向の長さ５００μｍ〜１５００μｍ、厚み方向の長さ５０μｍ〜２００μｍ、短手方向の長さ１００μｍ〜４００μｍである。これにより、発光装置１００の小型化が実現できるとともに、発光素子１０の上面１０ｕ及び側面２１からの光を効率よく発光素子１０の外部へ取り出すことができる。
【００１９】
透光部材１２は、発光素子１０及び導光部材１１上に配置され、発光素子１０の上面１０ｕ及び導光部材１１より入射した光を、光取り出し面１８より外部に取り出す。
一実施形態の発光装置１００では、透光部材１２は、上面視において発光素子１０より大きい。さらには、図２で示すように、発光素子１０の側面２１が透光部材１２の側面よりも内側に位置していることが好ましい。
発光素子１０の側面２１が透光部材１２の側面よりも内側に位置していることにより、第２領域２４を得ることができる。さらには、透光部材１２の第２領域２４を得ることにより、第２領域２４を導光部材１１で被覆することができる。そのため、発光素子１０の側面２１から導光部材１１に入射する光を第２領域２４からより効率的に透光部材１２に入射することができる。
【００２０】
透光部材１２は、正面視において、Ｘ方向における発光素子の中心と透光部材１２の中心が略一致するように発光素子１０上に配置されることがさらに好ましい。これにより、透光部材１２の下面２０に、発光素子１０から出射される光が均等に入射することができ、色ムラを改善することができる。
また、透光部材１２は、断面視において、Ｚ方向における発光素子１０の中心と透光部材１２の中心が略一致するように発光素子１０上に配置してもいいがこれに限らない。透光部材１２の中心が、発光素子１０の中心より正面側にあってもよいし、背面側にあってもよい。換言すると、正面側及び背面側に、第２領域２４ができるように透光部材１２を発光素子１０上に透光部材１２を配置すればよい。
【００２１】
透光部材１２の形状は、正面視においてどのような形状でもよい。略台形、略円形又は略半楕円形でもよいし、図１に示すような略長方形でもよい。
また、断面視における透光部材１２の形状についても、どのような形状でもよい。図２に示すような、例えば略長方形でもよい。より好ましくは透光部材１２の背面が上面から下面に向かって外側に広がる傾斜面や曲面になっているものである。
【００２２】
導光部材１１は、発光素子１０の側面２１を覆っており、その側面２１からの光を透光部材１２の方向に導光する。つまり、導光部材１１を配置することで、発光素子１０の内部から発光素子１０の側面２１に到達した光がその側面２１で反射されることを抑制し、発光素子１０の外側に取り出すことができる。このように、導光部材１１を設けることにより、発光素子１０の側面２１からの光を透光部材１２に導光し、発光装置１００の発光効率を高めることができる。
【００２３】
導光部材１１の形状は、どのような形状でもよい。例えば、図２において導光部材１１の外面２５は、平面でもよく、曲面でもよい。ここでいう曲面状とは、反射部材１３側に凸状となる曲面、又は、発光素子１０側に凸状となる曲面である。また、正面側及び背面側の導光部材１１の形状はそれぞれ異なってもよいし、同じでもよい。
一実施形態の発光装置１００では、図２のように、導光部材１１の外面２５が、発光素子１０の側面２１から透光部材１２の外縁に向かって広がる傾面を有し、反射部材１３側に凸形状となる曲面の場合には、導光部材１１の効果がより顕著になる。これにより、発光素子１０の側面２１から導光部材１１に入射した光が、第２領域２４を通り透光部材１２に効率よく入射することができる。
【００２４】
図１、図２に示すように、一実施形態の発光装置１００では、導光部材１１は、発光素子１０の側面２１の５０％以上を覆い、かつ透光部材１２の第２領域２４の５０％以上を覆うことが好ましい。発光素子１０の側面２１及び透光部材１２の第２領域２４の７０％以上を覆うことがより好ましい。発光素子１０の側面２１及び第２領域２４の大部分を導光部材１１で覆うことで、発光素子１０の側面２１からの光を効率よく導光部材１１に取り込むことができ、発光効率を高めることができる。
【００２５】
また、図２に示すように、一実施形態の発光装置１００では、発光装置１００の正面３８側に位置する導光部材１１ａは、正面３８から一定距離を離して形成することが好ましい。換言すると、第２領域２４の正面３８側付近は、反射部材１３で覆われていることが好ましい。これにより、発光素子１０の側面２１から導光部材１１ａに入射した光が、透光部材１２に入射せず発光装置１００の正面３８から出射することを抑制し、色ムラ等が発生することを低減することができる。ここでいう一定距離とは、光が透過しにくい距離であり、発光装置の大きさや発光素子の構造等によって適宜選択可能な距離である。
【００２６】
一方、背面側の導光部材１１ｂは、第２領域２４を広く被覆しているのがよい。例えば、Ｚ方向における透光部材１２の中心が、発光素子１０の中心と略同じか中心より背面に近い側にあり、正面３８側の導光部材１１ａより、背面側の導光部材１１ｂがより広い面積で第２領域を被覆していることが好ましい。さらに、導光部材１１ｂは、背面側の第２領域２４の略すべてを被覆しているほうがより好ましい。これにより、発光素子１０の側面２１からの光をより効率よく導光部材１１ｂに取り込め、発光効率を高めることができる。
【００２７】
また、図１に示すように、発光装置１００の側面側の導光部材１１は、発光素子１０の側面２１及び透光部材１２の第２領域２４の略すべてを被覆することが好ましい。これにより、発光素子１０の側面２１からの光を、より効率よく導光部材１１に取り込み、発光効率を高めることができる。さらに、図１において、Ｘ方向における発光素子１０の中心と透光部材１２の中心が略一致するように発光素子１０上に配置され、かつ導光部材１１は、左右両側面の形状及び被覆面積が略同じになるように被覆するのが好ましい。これにより、発光素子１０の側面２１から導光部材１１に入射した光が、透光部材１２に左右両側面均等に入射し、透光部材１２の光取り出し面１８から左右両側面均等に光が外部に取り出され、色ムラを改善することができる。
【００２８】
一実施形態の発光装置１００では、発光装置１００の正面３８と下面とのなす角度は、約８０度から約１００度にすることが好ましい。これにより、例えばバックライト用の導光板を光取り出し面１８に配置する際、導光板と光取り出し面１８の間に隙間ができにくく、光取り出し面１８から出射する光を導光板により効率よく入光でき、発光効率の高いバックライトを得ることができる。
【００２９】
反射部材１３は、発光素子１０の下面１０ｂ及び側面２１の導光部材１１で被覆されていない領域を被覆する。これにより、発光素子１０の下面１０ｂ及び側面２１からの導光部材１１に入射しない光を反射部材１３で反射し、透光部材１２に入射することができる。また、導光部材１１の外面２５も被覆することにより、発光素子１０の側面２１から導光部材１１に入射した光を反射部材１３で反射し、透光部材１２に導くことができる。よって、発光効率の高い発光装置とすることができる。
さらに、反射部材１３は、透光部材１２の上面、光取り出し面１８を除く側面及び第２領域２４の導光部材１１で被覆されていない領域を被覆する。これにより、コントラストの高い見切りのある発光装置とすることができる。
【００３０】
（変形例）
図３に示すように、発光装置２００は基板を有しない。それ以外は、前述した一実施形態と略同じである。発光装置２００は、基板を有しない点で、更なる薄型化が実現可能である。
【００３１】
製造方法
以下、本発明の発光装置の製造方法について、図面を参照しながら説明する。なお、硬化前後又は切断前後で変化がある場合においても、同じ用語を適宜用いる。
【００３２】
（第１の製造方法）
発光装置１００の製造方法は、複数の発光素子を離間させて配置する工程と、複数の発光素子のうち、隣接する２つの発光素子上に渡って透光部材を設ける工程と、２つの発光素子の側面と透光部材の下面とを被覆する導光部材を設ける工程と、２つの発光素子と透光部材の上面と導光部材とを被覆する反射部材を設ける工程と、隣接する２つの発光素子の間の位置で、透光部材及び反射部材を切断する工程と、を少なくとも含む。
【００３３】
上述の製造方法によって、発光素子１０の側面２１からの光が、導光部材１１に入射し、反射部材１３に反射され透光部材１２の光取り出し面１８から取り出される、発光効率の高い発光装置１００を製造することができる。
【００３４】
工程１−１．基板１７への発光素子１０の配置
まず、図４Ａに示すように、発光素子の電極１６を基板と対向するように複数の発光素子１０を離間させて配置し接合する。接合方法として例えば、ＡｕＳｎ接合、半田接合、Ａｕバンプ接合、先鋭バンプ接合、導電性接着剤、異方導電性ペースト、異方導電性フィルム等が使用できる。特に接合の安定性や２次実装時及び使用時の接続部の信頼性の観点からＡｕＳｎ接合が最も適する。
隣接する発光素子１０間の距離は適宜選択可能であるが、発光装置の大きさと、基板の集合体１つあたりに製造可能な製品の個数との観点から、光取り出し面１８側の距離で３０μｍ〜３００μｍ程度、より好ましくは５０μｍ〜１５０μｍ程度が適する。
【００３５】
工程１−２．透光部材１２の準備
本実施形態においては、次に、平面視において長手方向と短手方向を有する、シート状の透光部材１２を準備する。シート状の透光部材１２は、例えば、液状の樹脂と必要に応じて蛍光体を混合した波長変換部材を、塗工、圧縮成形、トランスファー成形、射出成形、スプレー、印刷、ポッティング等で形成することができる。また、電気泳動堆積等で略均一な厚みに形成した蛍光体に樹脂を含浸することにより形成することができる。
透光部材１２の表面は、平面であればよく、凹凸を有する面としても良い。凹凸は圧縮成形やトランスファー成形、射出成形等を利用して容易に設けることができる。表面に凹凸を設けることにより、透光部材１２と反射部材１３との密着性を高めることができるため、発光装置としての信頼性を向上できる。また、透光部材１２の端面を、上面から下面に外側に広がる傾斜面又は曲面にしてもよい。光取り出し面１８と対向する面である背面に傾斜を設けることで発光効率を更に高めることができる。
【００３６】
透光部材１２は、基板１７に配置された隣接する２つの発光素子１０上に渡って設けることができる大きさであり、隣接する透光部材１２と所定の距離で離間する大きさとする。隣接する透光部材１２間の距離は適宜選択可能であるが、発光装置の大きさ及び後述する個片化する工程を考慮し、隣接する透光部材１２の対向する面の距離が３０μｍ〜３００μｍ、より好ましくは５０μｍ〜１５０μｍである。
【００３７】
工程１−３．液状樹脂材料の配置
次に、図示はしていないが、基板上に配置された発光素子１０の透光性基板１４上に、導光部材１１の材料である液状樹脂材料を配置する。配置方法としてはディスペンス、ピン転写及びスキージにて一定の厚みに調整した樹脂に発光素子１０の透光性基板１４側を接触させる、ディッピング方法等を使用できる。液状樹脂材料の配置量は適宜選択可能であるが、発光素子１０の側面２１を十分に覆い、且つ液状樹脂材料が発光素子１０の側面２１及び透光部材１２の第２領域２４を繋ぐ傾斜面を形成できるように調整することが望ましい。
【００３８】
工程１−４．透光部材１２の配置及び導光部材１１の形成
次に、図４Ｂに示すように、透光部材１２を隣接する２つの発光素子１０上に渡って配置する。この時、図４Ｄに示すように、発光素子１０上に配置された液状樹脂材料は発光素子１０と透光部材１２の間から押し出され、発光素子１０の側面及び透光部材１２の第２領域２４を覆い、側面２１と透光部材１２の第２領域２４を繋ぐ傾斜面を有する導光部材１１を形成する。
その後、液状樹脂材料を熱や紫外線等で硬化させ、発光素子１０と透光部材１２を接着すると共に、導光部材１１の傾斜面の形状を固定する。例えば、導光部材１１の硬化は、１５０℃のオーブンで４時間加熱することにより行うことができる。
なお、透光部材１２を発光素子１０に配置した際、液状樹脂材料が、透光部材１２と発光素子１０の間に配置されていてもよい。これにより、発光素子１０の上面１０ｕからの光が硬化した液状樹脂材料の内部において均一化させ透光部材１２に入射することができ、発光装置から出射される色ムラを改善することができる。
【００３９】
工程１−５．透光部材１２の整形
本実施形態では、シート状の透光部材１２の外形をやや大きめに成形しておき、発光素子１０に配置した後に透光部材１２の外縁の一部を除去し、外形を整えてもよい。これにより、透光部材１２の成形時の形状のばらつきや配置時の位置ずれを低減できる。また、透光部材の形状ばらつきや位置ばらつきに起因して、それを被覆する反射部材１３の厚みが薄くなることで十分に遮光できず、発光装置の光取り出し面１８以外から光が漏れるおそれを低減することができる。特に、透光部材１２が蛍光体を含有している場合、光取り出し面１８以外から光が漏れることにより、発光色がずれるおそれを低減することができる。
その結果、反射部材１３の厚みの狙い値、つまりは設計値を小さくできる為、換言すると、反射部材１３の厚みのうち製造のばらつきを考慮した余裕分を削減することができる為、発光装置を小型化できる。
この整形方法としては、ダイシング、トムソン加工、レーザ加工等で行ってもよく、形状精度に優れるダイシングがより好ましい。
【００４０】
工程１−６．反射部材１３の形成
次に、図４Ｄに示すように、透光部材１２、発光素子１０、導光部材１１及び基板１７の上面を被覆する反射部材１３を形成する。反射部材１３の形成は、圧縮成形、トランスファー成形、射出成形等の金型成形、印刷、ポッティング等の方法が使用できる。特に、反射部材１３の樹脂中に含有するフィラー濃度が高くなると、流動性が低化することから、圧縮成形、トランスファー成形が最も適する。
【００４１】
工程１−７．個片化
次に、図４Ｅに示すように、隣接する２つの発光素子１０間で切断し複数の発光装置を得る。透光部材１２間は、反射部材１３及び基板１７を切断する。また、透光部材１２が渡って形成されている２つの発光素子１０間は、反射部材１３、透光部材１２、及び基板１７を切断する。なお、透光部材１２の切断面が、発光装置の光取り出し面１８となる。
この切断にはダイシング、トムソン加工、レーザ加工等の方法が使用できる。切断時には、透光部材１２の整形時に使用した基準点を基準とする事で、反射部材１３の厚み、つまりは光取り出し面１８と対向する面である背面側の反射部材１３の厚みを精度よく薄く切断できるため、発光装置全体を小型化できる。
【００４２】
以上、第１の製造方法について順を追って説明したが、製造手順はこの通りでなくてもよい。例えば、工程１−２、１−３を同時に行う等、複数の工程を同時に行ってもよい。
【００４３】
（第２の製造方法）
発光装置の第２の製造方法は、上面と下面を有する透光部材の下面の一部と、透光部材の下面上に配置された２つの発光素子の側面とを被覆する導光部材を設ける工程と、２つの発光素子と透光部材の上面と導光部材とを被覆する反射部材を設ける工程と、隣接する２つの発光素子の間の位置で、透光部材及び反射部材を切断する工程と、を少なくとも含む。
第２の製造方法は、第１の製造方法と、基板１７を有さない発光装置を製造することも可能な点で異なる。
【００４４】
第２の製造方法における、透光部材１２の上面と下面は図５Ｄ及び図５Ｅにおける透光部材の配置方向において上側を上面、下側を下面とする。
【００４５】
工程２−１．発光素子１０の配置
まず、図５Ａに示すように、シート状の透光部材１２を準備する。
次に、透光部材１２の下面に、導光部材１１の材料である液状樹脂材料を配置する。液状樹脂材料の配置方法及び配置量については、工程１−３と略同じである。
次に、図５Ｂに示すように、複数の発光素子１０を透光部材１２に液状樹脂材料を介して配置する。この時、透光部材１２に配置された液状樹脂材料は発光素子１０と透光部材１２の間から押し出され発光素子１０の側面２１と透光部材１２の第２領域２４を繋ぐ傾斜面を形成する。その後、工程１−５．に示す方法等により、導光部材１１を硬化する。
【００４６】
工程２−２．透光部材１２の切断
図５Ｃに示すように、透光部材１２に２つの発光素子１０が配置されるよう、透光部材１２を発光素子１０間で切断する。この切断にはダイシング、トムソン加工、レーザ加工等の方法が使用できる。
また、本製造方法では透光部材１２に複数の発光素子１０を配置した後、透光部材を２つの発光素子１０毎に透光部材１２を切断したがこれに限らない。先に、２つの発光素子を配置できる大きさに透光部材１２を切断し、その後、発光素子１０を配置してもよい。
【００４７】
工程２−３．反射部材１３の形成
次に、図５Ｄに示すように、転写シート２７上に発光素子１０の電極１６が対向するように転写し、発光素子１０、透光部材１２及び導光部材１１を被覆する反射部材１３を形成する。好ましい形成方法については、工程１−７．と略同じである。
転写シート２７は、例えば、樹脂フィルム、金属板、セラミック板等の単体又は複合体等によって形成されたものが挙げられる。転写シート２７は剛性のものであってもよいし、可撓性を有するものであってもよい。この転写シート２７は、一連の工程により発光装置を製造した後等に除去する。  また、例えば、転写シート２７上に電極１６が対向するように転写する代わりに、工程２−２で切断したものを、透光部材１２の上面を転写シート２７と対向するように配置し、その後、電極１６の一部が露出するように発光素子１０、透光部材１２及び導光部材１１を反射部材１３で被覆してもよい。
【００４８】
工程２−４．個片化
次に、図５Ｅに示すように、隣接する２つの発光素子１０間で切断し、複数の発光装置を得る。透光部材１２が渡って形成されていない発光素子１０間は、反射部材１３を切断する。また、透光部材１２が渡って形成されている２つの発光素子１０間は、反射部材１３、透光部材１２を切断する。なお、透光部材１２の切断面が、発光装置の光取り出し面１８となる。この切断方法については、工程１−８と略同様の方法が使用できる。また、切断後に転写シート２７を除去してもよい。
【００４９】
以上、第２の製造方法について順を追って説明したが、製造手順はこの通りでなくてもよい。例えば、工程順を変更してもよいし、複数の工程を同時に行ってもよい。また、第２の製造方法に記載されていない点については、第１の製造方法と略同様である。第２の製造方法では、基板を有しなくてもよく、より薄型の発光装置を製造することができる。
【００５０】
以下、本発明の発光装置の各構成要素について説明する。
【００５１】
（発光素子１０）
発光素子は、半導体発光素子が好ましい。半導体発光素子としては、例えばＬＥＤ（発光ダイオード）チップが挙げられる。半導体発光素子は、少なくとも発光素子構造を構成する半導体積層体及び一対の電極を有し、さらに透光性基板を有していてもよい。発光素子は、同一面側に正負（ｐ，ｎ）電極を有することが好ましい。発光素子がフリップチップ（フェイスダウン）実装タイプの場合、主発光面は電極形成面とは反対側の面である。
【００５２】
（半導体積層体１５）
半導体積層体は、少なくともｎ型半導体層とｐ型半導体層を含み、活性層をその間に介することが好ましい。半導体材料としては、蛍光物質を励起しやすい短波長光を効率良く発光可能な窒化物半導体を用いることが好ましい。窒化物半導体は、主として一般式ＩｎｘＡｌｙＧａ１−ｘ−ｙＮ（０≦ｘ、０≦ｙ、ｘ＋ｙ≦１）で表される。このほか、硫化亜鉛、セレン化亜鉛、炭化珪素などを用いることもできる。
【００５３】
（透光性基板１４）
透光性基板としては、半導体層をエピタキシャル成長させることができる成長用の基板が挙げられる。このような透光性基板の材料としては、サファイア（Ａｌ２Ｏ３）、スピネル（ＭｇＡ１２Ｏ４）のような絶縁性基板、上述した窒化物系の半導体基板等が挙げられる。半導体層の成長用の基板として、サファイア基板のような透光性を有する透光性基板１４を用いることにより、半導体積層体から除去せず発光装置に用いることができる。
また、透光性基板は、表面に複数の凸部又は凹凸を有するものであってもよい。
【００５４】
（電極１６、１６ａ、１６ｂ）
電極は、金属又は合金の小片で構成することができる。具体的には、金、銀、銅、鉄、錫、白金、亜鉛、ロジウム、チタン、ニッケル、パラジウム、アルミニウム、タングステン、クロム、モリブデン及びこれらの合金のうちの少なくとも１つを用いることができる。なかでも、銅は、熱伝導性に優れ、比較的安価であるため、銅又は銅合金が特に好ましい。また、金は、また化学的に安定であり表面酸化が少なく接合しやすい性質を有するため、金又は金合金も好ましい。電極は、半田接合性の観点において、表面に金又は銀の被膜を有してもよい。
【００５５】
（透光部材１２）
透光部材は、透光性材料を含んでいる。透光性材料としては、透光性樹脂、ガラス等が使用できる。特に、透光性樹脂が好ましく、シリコーン樹脂、シリコーン変性樹脂、エポキシ樹脂、フェノール樹脂などの熱硬化性樹脂、ポリカーボネート樹脂、アクリル樹脂、メチルペンテン樹脂、ポリノルボルネン樹脂などの熱可塑性樹脂を用いることができる。特に、耐光性、耐熱性に優れるシリコーン樹脂が好適である。
透光部材には、粘度を調整する等の目的で各種フィラー等を含有させてもよい。
【００５６】
透光部材は、透光性材料に加えて蛍光体を含んだ波長変換部材でもよい。
蛍光体は、発光素子からの発光で励起可能なものが使用される。例えば、青色発光素子又は紫外線発光素子で励起可能な蛍光体としては、セリウムで賦活されたイットリウム・アルミニウム・ガーネット系蛍光体（Ｃｅ：ＹＡＧ）；セリウムで賦活されたルテチウム・アルミニウム・ガーネット系蛍光体（Ｃｅ：ＬＡＧ）；ユウロピウム及び／又はクロムで賦活された窒素含有アルミノ珪酸カルシウム系蛍光体（ＣａＯ−Ａｌ２Ｏ３−ＳｉＯ２）；ユウロピウムで賦活されたシリケート系蛍光体（（Ｓｒ，Ｂａ）２ＳｉＯ４）；βサイアロン蛍光体、ＣＡＳＮ系蛍光体、ＳＣＡＳＮ系蛍光体等の窒化物系蛍光体；ＫＳＦ系蛍光体（Ｋ２ＳｉＦ６：Ｍｎ）；硫化物系蛍光体、量子ドット蛍光体などが挙げられる。これらの蛍光体と、青色発光素子又は紫外線発光素子と組み合わせることにより、様々な色の発光装置（例えば白色系の発光装置）を製造することができる。
波長変換部材には、粘度を調整する等の目的で、各種のフィラー等を含有させてもよい。
【００５７】
透光部材は、その厚み方向に、単層で構成されてもよいし、複数の層の積層体で構成されてもよい。透光部材が積層体で構成される場合、各層に異なる種類の主材を用いてもよいし、各層に異なる種類の蛍光物質を含有させてもよい。また、最外層が蛍光物質を含有しない層であることにより、外気などによる蛍光物質の劣化を抑制することができる。
【００５８】
（導光部材１１、１１ａ、１１ｂ）
導光部材は、透光性を有し、発光素子の光を透光部材に導光するほか、発光素子と透光部材を接着させることができる液状樹脂材料を使用することが好ましい。液状樹脂材料は、はじめに液状であって硬化することで接着が可能な材料であることが好ましい。液状樹脂材料の主材は、シリコーン樹脂、エポキシ樹脂、フェノール樹脂、ポリカーボネート樹脂、アクリル樹脂、及びこれらの変性樹脂のうちの少なくとも１つを用いることができる。なかでも、シリコーン樹脂若しくはその変性樹脂は、耐熱性及び耐光性に優れる点で好ましい。具体的なシリコーン樹脂としては、ジメチルシリコーン樹脂、フェニル−メチルシリコーン樹脂、ジフェニルシリコーン樹脂が挙げられる。
また、例えば、導光部材に導光部材の屈折率を調整するため、又は硬化前の導光部材、すなわち、液状樹脂材料の粘度を調整するために、各種フィラーを添加してもよい。
【００５９】
（反射部材１３）
反射部材は、光反射性樹脂から形成することができる。また、光反射性樹脂は、発光素子の発光ピーク波長における光反射率が、７０％以上であることが好ましく、８０％以上であることがより好ましく、９０％以上であることがよりいっそう好ましい。反射部材に達した光が反射されて、発光装置の光取り出し面に向かうことにより、発光装置の光取出し効率を高めることができる。
【００６０】
光反射性樹脂としては、例えば透光性樹脂に、光反射性物質を分散させたものが使用できる。光反射性物質としては、例えば、酸化チタン、二酸化ケイ素、二酸化ジルコニウム、チタン酸カリウム、アルミナ、窒化アルミニウム、窒化ホウ素、ムライトなどが好適である。光反射性物質は、粒状、繊維状、薄板片状などが利用できるが、特に、繊維状のものは反射部材の熱膨張率を低下させる効果も期待できるので好ましい。
反射部材に使用できる樹脂材料としては、特に、シリコーン樹脂、シリコーン変性樹脂、エポキシ樹脂、フェノール樹脂などの熱硬化性の透光性樹脂であるのが好ましい。
【００６１】
（基板１７）
基板は、一対の金属板を含むリードフレームや、少なくとも母材と、母材上に設けられた正負に対応する一対の接続端子を備える基板などを用いることができる。基板を用いる場合には、その接続端子は、通常、母材の少なくとも第１主面に形成されている。ここでの第１主面とは、基板又は母材の一方の表面を指す。基板の形状は特に限定されないが、通常、後述する母材の形状に相当する形状となる。例えば、少なくとも第１主面が、長手方向に長いことが好ましく、さらに、長手方向に直交する短手方向を備えることがより好ましい。
【００６２】
（母材）
母材は、どのような材料によって形成されていてもよい。例えば、金属、セラミック、樹脂、誘電体、パルプ、ガラス、紙又はこれらの複合材料、あるいはこれら材料と導電材料（例えば、金属、カーボン等）との複合材料等が挙げられる。金属としては、銅、鉄、ニッケル、クロム、アルミニウム、銀、金、チタン又はこれらの合金を含むものが挙げられる。樹脂としては、エポキシ樹脂、ビスマレイミドトリアジン（ＢＴ）樹脂、ポリイミド樹脂等が挙げられる。樹脂には、酸化チタンなどの白色顔料が含有されていてもよい。なかでも、セラミック、複合樹脂であることが好ましい。
【００６３】
セラミックは、酸化アルミニウム、窒化アルミニウム、酸化ジルコニウム、窒化ジルコニウム、酸化チタン、窒化チタン又はこれらの混合物を含むものが挙げられ、放熱性の高い窒化アルミ等を用いることが好ましい。複合樹脂は、ガラスエポキシ樹脂を用いることが好ましい。なお、母材は適度の強度を確保したものであってもよいし、いわゆるフレキシブル性を有するものであってもよい。
【００６４】
なお、本文で述べる「透光性」とは、発光素子の発光ピーク波長における光透過率が、好ましくは６０％以上であること、より好ましくは７０％以上であること、よりいっそう好ましくは８０％以上であることを言う。
【００６５】
以上、本発明に係るいくつかの実施形態について例示したが、本発明は上述した実施形態に限定されるものではなく、本発明の要旨を逸脱しない限り任意のものとすることができることは言うまでもない。
【符号の説明】
【００６６】
１０  発光素子
１１、１１ａ、１１ｂ  導光部材
１２  透光部材
１３  反射部材
１４  透光性基板
１５  半導体積層体
１６、１６ａ、１６ｂ  電極
１７  基板
１８  光取り出し面
１００  発光装置
２２  第１領域
２４  第２領域
【図１】
2019041009.tif 000003
【図２】
2019041009.tif 000004
【図３】
2019041009.tif 000005
【図４Ａ】
2019041009.tif 000006
【図４Ｂ】
2019041009.tif 000007
【図４Ｃ】
2019041009.tif 000008
【図４Ｄ】
2019041009.tif 000009
【図４Ｅ】
2019041009.tif 000010
【図５Ａ】
2019041009.tif 000011
【図５Ｂ】
2019041009.tif 000012
【図５Ｃ】
2019041009.tif 000013
【図５Ｄ】
2019041009.tif 000014
【図５Ｅ】
2019041009.tif 000015